(57)【要約】      （修正有）【課題】  建物内を移動する人間に、建物内のその位置に関する情報を告知し、建物内の安全性やメンテナンス性を向上させることを課題とする。【解決手段】  パーソナルデータ１１が格納されると共に建物内を移動する少なくとも一人の人間に携帯されるＩＣタグ１０と、位置データが格納されると共に建物内に設置される少なくとも１つのＩＣタグ読取装置と、前記建物内の標識データ３２が格納された標識データベース３１と、前記建物の設備に関する設備データ３４が格納された設備データベース３３と、前記ＩＣタグ読取装置によって前記ＩＣタグ１０から読み取られた前記パーソナルデータ１１及び前記位置データとに基づいて前記ＩＣタグ読取装置が設けられた前記建物の場所に関する標識データ３２及び設備データ３４を抽出するデータ抽出手段３５と、抽出された前記標識データ３２及び前記設備データ３４を前記人間に告知する告知手段とを具備する。【選択図】      図１
2006157737.tif 000002
【特許請求の範囲】
【請求項１】
パーソナルデータが格納されると共に建物内を移動する少なくとも一人の人間に携帯されるＩＣタグと、位置データが格納されると共に前記建物内に設置される少なくとも１つのＩＣタグ読取装置と、前記建物内の標識データが格納された標識データベースと、前記建物の設備に関する設備データが格納された設備データベースと、前記ＩＣタグ読取装置によって前記ＩＣタグから読み取られた前記パーソナルデータ及び前記位置データとに基づいて前記ＩＣタグ読取装置が設けられた前記建物の場所に関する標識データ及び設備データを抽出するデータ抽出手段と、抽出された前記標識データ及び前記設備データを前記人間に告知する告知手段とを具備することを特徴とする建物内情報告知システム。
【請求項２】
パーソナルデータが格納されると共に前記建物内を移動する少なくとも一人の人間に携帯されるＩＣタグ読取装置と、位置データが格納されると共に建物内に設置される少なくとも１つのＩＣタグと、前記建物内の標識データが格納された標識データベースと、前記建物の設備に関する設備データが格納された設備データベースと、前記ＩＣタグ読取装置によって前記ＩＣタグから読み取られた前記位置データ及び前記パーソナルデータとに基づいて前記ＩＣタグが設けられた前記建物の場所に関する標識データ及び設備データを抽出するデータ抽出手段と、抽出された前記標識データ及び前記設備データを前記人間に告知する告知手段とを具備することを特徴とする建物内情報告知システム。
【請求項３】
請求項１又は２において、前記人間の属性により、告知される前記設備データが異なることを特徴とする建物内情報告知システム。
【請求項４】
請求項１〜３の何れかにおいて、前記標識データ又は前記設備データの少なくとも一方を更新するための更新手段を具備することを特徴とする建物内情報告知システム。
【請求項５】
請求項１〜４の何れかにおいて、標識データベースに標識データを登録するための標識登録手段と、標識データベースから標識データを削除する標識削除手段と、標識データベースから標識データを参照するための標識参照手段とを具備することを特徴とする建物内情報告知システム。
【請求項６】
請求項１〜５の何れかにおいて、前記告知手段が建物内に設置されたディスプレイ、音声再生装置、又は振動発生装置、あるいはそれらの組み合わせからなるものであることを特徴とする建物内情報告知システム。
【発明の詳細な説明】
【技術分野】
【０００１】
本発明は、高層ビルや工場などの建物内を移動する人間の位置に応じて、その建物内の位置に関する情報をその人間に告知するシステムに関する。
【背景技術】
【０００２】
現在、都市への人口集中による人口の増加に対応するため、快適な住環境を兼ね備えた超高層ビルや、巨大な装置などを格納するための巨大建造物が建築されている。これらの超高層ビルや巨大建造物は、周辺の環境に適応させるために、又は格納される装置を効率的に収納できるようにするために内部の構造が複雑化している。そして、その複雑化した構造のために、そのような建物の見学者や電気系統のメンテナンスの作業者等が建物内を移動するときに、自分の位置を見失い、気づかないうちに、立ち入りが禁止されているような危険な場所へ入り込んでしまうという問題があった。
【０００３】
なお、建物への入退場を管理するシステムが提案され、その中で位置を検出し、その位置から会場への入場可能な概略の時間を端末に表示することが開示されているが（例えば、特許文献１参照）、建物内の情報を告知し、注意を促すようなシステムは未だ提案されていない。
【０００４】
【特許文献１】特開２００２−１５７６１４号公報
【発明の開示】
【発明が解決しようとする課題】
【０００５】
本発明は、このような事情に鑑み、建物内を移動する人間に、建物内のその位置に関する情報を告知し、建物内の安全性やメンテナンス性を向上させることによって、安全性を確保するためのコストやメンテナンスのコストを抑えることを課題とする。
【課題を解決するための手段】
【０００６】
上記課題を解決するための本発明の第１の態様は、パーソナルデータが格納されると共に建物内を移動する少なくとも一人の人間に携帯されるＩＣタグと、位置データが格納されると共に前記建物内に設置される少なくとも１つのＩＣタグ読取装置と、前記建物内の標識データが格納された標識データベースと、前記建物の設備に関する設備データが格納された設備データベースと、前記ＩＣタグ読取装置によって前記ＩＣタグから読み取られた前記パーソナルデータ及び前記位置データとに基づいて前記ＩＣタグ読取装置が設けられた前記建物の場所に関する標識データ及び設備データを抽出するデータ抽出手段と、抽出された前記標識データ及び前記設備データを前記人間に告知する告知手段とを具備することを特徴とする建物内情報告知システムにある。
【０００７】
かかる第１の態様では、建物内を移動する人間に、建物内のその位置に関する情報を告知し、建物内の安全性やメンテナンス性を向上させることができる。
【０００８】
本発明の第２の態様は、パーソナルデータが格納されると共に建物内を移動する少なくとも一人の人間に携帯されるＩＣタグ読取装置と、位置データが格納されると共に前記建物内に設置される少なくとも１つのＩＣタグと、前記建物内の標識データが格納された標識データベースと、前記建物の設備に関する設備データが格納された設備データベースと、前記ＩＣタグ読取装置によって前記ＩＣタグから読み取られた前記位置データ及び前記パーソナルデータとに基づいて前記ＩＣタグが設けられた前記建物の場所に関する標識データ及び設備データを抽出するデータ抽出手段と、抽出された前記標識データ及び前記設備データを前記人間に告知する告知手段とを具備することを特徴とする建物内情報告知システムにある。
【０００９】
かかる第２の態様では、第１の態様と同様に、建物内を移動する人間に、建物内のその位置に関する情報を告知し、建物内の安全性やメンテナンス性を向上させることができる。
【００１０】
本発明の第３の態様は、第１又は２の態様において、前記人間の属性により、告知される前記設備データが異なることを特徴とする建物内情報告知システムにある。
【００１１】
ここで、属性とは、建物におけるそのＩＣタグを携帯する人間の立場を示すものである。具体的には、属性が「見学者」であれば、その建物を見学しに来た人間を意味し、「電気工事作業者」であれば、建物の電気工事をするために来た電気工事業者を意味する。
【００１２】
かかる第３の態様では、人間の属性により、告知される設備データを変更することができ、人間の属性に対して適切な設備データを告知することができる。
【００１３】
本発明の第４の態様は、第１〜３の何れかの態様において、前記標識データ又は前記設備データの少なくとも一方を更新するための更新手段を具備することを特徴とする建物内情報告知システムにある。
【００１４】
かかる第４の態様では、最新の標識データ又は設備データを告知することができる。
【００１５】
本発明の第５の態様は、第１〜４の何れかの態様において、標識データベースに標識データを登録するための標識登録手段と、標識データベースから標識データを削除する標識削除手段と、標識データベースから標識データを参照するための標識参照手段とを具備することを特徴とする建物内情報告知システムにある。
【００１６】
かかる第５の態様では、最新の標識の規格に基づいて、標識データの登録、削除、及び参照を行うことができる。
【００１７】
本発明の第６の態様は、第１〜５の何れかの態様において、前記告知手段が建物内に設置されたディスプレイ、音声再生装置、又は振動発生装置、あるいはそれらの組み合わせからなるものであることを特徴とする建物内情報告知システムにある。
【００１８】
かかる第６の態様では、より確実に人間に標識データ及び設備データを告知することができる。
【発明の効果】
【００１９】
本発明によれば、建物内を移動する人間に、建物内のその位置に関する情報を告知し、建物内の安全性やメンテナンス性を向上させることによって、安全性を確保するためのコストやメンテナンスのコストを抑えることができると共に、建物のリスク管理を低減させることができる。
【発明を実施するための最良の形態】
【００２０】
以下、図面を用いて本発明を実施するための最良の形態について説明する。なお、本実施形態の説明は例示であり、本発明の構成は以下の説明に限定されない。
【００２１】
（実施形態１）
図１及び図２は、本発明の一実施形態に係る建物内情報告知システム１の概略図である。図１及び図２に示すように、建物内情報告知システム１は、建物内を移動する人間に携帯されるＩＣタグ１０と、ＩＣタグに格納されたパーソナルデータ１１と、ＩＣタグ１０が有するパーソナルデータ１１を読み取る複数のＩＣタグ読取装置２０ａ、２０ｂ・・・と、位置データとしてそれぞれのＩＣタグ読取装置２０ａ、２０ｂ・・・に格納されたＩＣタグ読取装置ＩＤ２１ａ、２１ｂ・・・と、建物内に設置される建物内情報サーバ３０と、告知手段である複数のディスプレイ装置４０ａ、４０ｂ・・・とからなっており、建物内情報サーバ３０は、建物内に設けられた標識の標識データ３２が格納された標識データベース３１と、建物の設備データ３４が格納された設備データベース３３と、それらのデータベースから標識データ３２及び設備データ３４を抽出するデータ抽出手段３５とを具備する。
【００２２】
ＩＣタグ１０は、小型のアンテナとＩＣからなるものであり、建物内を移動する人間に関するパーソナルデータ１１が格納されているものである。格納されているパーソナルデータ１１としては、例えば、図３に示すようなものがある。図３の中で、属性とは、建物におけるそのＩＣ１０タグを携帯する人間の立場を示すものである。具体的には、属性が「見学者」であれば、その建物を見学しに来た人間を意味し、「電気工事作業者」であれば、建物の電気工事をするために来た電気工事業者を意味する。本実施形態では、見学者及び電気工事業者を例示しているが、水道業者、又は内装業者等のさまざまな属性を設けてもよい。
【００２３】
ＩＣタグ読取装置２０ａ、２０ｂ・・・は、ＩＣタグ１０が有するパーソナルデータ１１を読み取る装置であり、建物内に複数設置されているものである。具体的には、ＩＣタグ読取装置２０は電波を放射し、その電波を受信したＩＣタグ１０から電波として放射されるパーソナルデータ１１を受信すると共に解析し、解析されたパーソナルデータ１１と共にＩＣタグ読取装置ＩＤ２１を建物内情報サーバ３０に送信する装置である。ここで、ＩＣタグ読取装置ＩＤ２１とは、各ＩＣタグ読取装置２０ごとに付されたＩＤ番号であり、後述するように、この番号により、そのＩＣタグ読取装置２０が設置されている建物内の場所を特定することができる。本実施形態では、位置データとしてＩＣタグ読取装置ＩＤ２１を用いたが、位置データとして、そのＩＣタグ読取装置２０が設けられている位置のデータなどを直接用いてもよい。
【００２４】
建物内情報サーバ３０は、標識データベース３１と設備データベース３３とデータ抽出手段３５とを具備したものである。なお、建物内情報サーバ３０は、専用装置でも一般的なパーソナルコンピュータであってもよい。
【００２５】
標識データベース３１は、標識データ３２を格納するデータベースである。標識データ３２としては、例えば、図４に示すようなデータがある。図４の中で、ＩＣタグ読取装置ＩＤ２１とは、前述したように、建物内に設置されているＩＣタグ読取装置２０に、ＩＣタグ読取装置２０ごとに付与されている番号であり、設置場所とは、ＩＣタグ読取装置２０が設置されている場所を示し、色彩とは、ＩＣタグ読取装置２０が設置されている場所の標識の色彩を示す。この標識データベース３１より、ＩＣタグ読取装置ＩＤ２１が特定されると、そのＩＣタグ読取装置ＩＤ２１が付されたＩＣタグ読取装置２０の設置場所及びその場所の標識の色彩を特定することができる。
【００２６】
なお、本実施形態では、標識データベース３１に格納された色彩のデータを一種類としたが、人間の属性に応じて標識の色彩を変更できるように、複数の色彩のデータを格納してもよい。これにより、人間の属性に応じて適切な標識の色彩を告知することができる。
【００２７】
設備データベース３３は、設備データ３４を格納するデータベースである。設備データ３４としては、例えば、図５に示すようなデータがある。図５の中で、見学者用設備データ及び電気工事業者用設備データとは、見学者及び電気工事業者にそれぞれ対応する設備データ３４である。本実施形態では、見学者及び電気工事業者にそれぞれ対応する設備データ３４を例示しているが、水道業者や内装業者等のさまざまな属性に対応する設備データ３４を設けてもよい。これにより、人間の属性に応じて適切な設備データ３４を告知することができる。
【００２８】
データ抽出手段３５は、ＩＣタグ読取装置ＩＤ２１に基づいて、標識データベース３１からＩＣタグ読取装置２０が設置された場所の標識データ３２を抽出すると共に、ＩＣタグ読取装置２０によって受信されたパーソナルデータ１１とＩＣタグ読取装置ＩＤ２１とに基づいて設備データベース３３からＩＣタグ読取装置２０が設置された場所に関する設備データ３４を抽出するものである。具体的には、パーソナルデータ１１の属性が「見学者」であり、ＩＣタグ読取装置ＩＤ２１が「Ａ００１０」であるとすると、データ抽出手段３５は、標識データ３２として、図４に示すＩＣタグ読取装置ＩＤ２１が「Ａ００１０」に対応する色彩の標識データ３２「赤」を標識データベース３１から抽出すると共に、設備データ３４として、図５に示すＩＣタグ読取装置ＩＤ２１が「Ａ００１０」でパーソナルデータ１１が「見学者」である「危険  これより先  立ち入り禁止」を設備データベース３３から抽出する。
【００２９】
ディスプレイ装置４０ａ、４０ｂ・・・は、標識データ３２及び設備データ３４を表示するものであり、図２に示すように、ＩＣタグ読取装置２０に対応して建物内のＩＣタグ読取装置２０の近辺に設置されている。本実施形態では、告知手段としてのディスプレイ装置４０として液晶ディスプレイを用いたが、例えば、通常のディスプレイや発光ダイオードなどで作られた表示装置などを用いてもよい。
【００３０】
次に、上記構成からなる建物内情報告知システム１の具体的動作について説明する。なお、以下では、建物内に複数設置されているＩＣタグ読取装置２０ａ、２０ｂ・・・をＩＣタグ読取装置２０と簡略化して説明し、同様に、ＩＣタグ読取装置ＩＤ２１ａ、２１ｂ・・・をＩＣタグ読取装置ＩＤ２１と、ディスプレイ装置４０ａ、４０ｂ・・・をディスプレイ装置４０と簡略化して説明する。
【００３１】
図２に示すように、ＩＣタグ１０を携帯する人間が移動し、ＩＣタグ読取装置２０が設置された場所に近づくと、ＩＣタグ読取装置２０より放射される電波がＩＣタグ１０に受信され、ＩＣタグ１０からパーソナルデータ１１が電波として放射される。すると、ＩＣタグ読取装置２０は、ＩＣタグ１０から放射された電波を受信すると共に受信した電波を解析する。そして、ＩＣタグ読取装置２０は、解析して得たパーソナルデータ１１と共にそのＩＣタグ読取装置２０に付与されたＩＣタグ読取装置ＩＤ２１を、建物内情報サーバ３０に送信する。
【００３２】
それらのデータを受信した建物内情報サーバ３０は、ＩＣタグ読取装置ＩＤ２１に基づいて、そのＩＣタグ読取装置２０が設置された場所の標識データ３２を標識データベース３１から抽出すると共に、そのＩＣタグ読取装置ＩＤ２１及びパーソナルデータ１１に基づいて、設備データ３４を設備データベース３３から抽出する。そして、建物内情報サーバ３０は、そのＩＣタグ読取装置ＩＤ２１が付されたＩＣタグ読取装置２０の近辺に設置されたディスプレイ装置４０に、その標識データ３２及び設備データ３４を送信する。
【００３３】
それらのデータを受信したディスプレイ装置４０は、標識データ３２と共に設備データ３４を表示する。
【００３４】
なお、本実施形態では、標識データベース３１と設備データベース３３とデータ抽出手段３５とを具備する建物内情報サーバ３０を設置することで効率的に各データを管理でき好ましいが、ＩＣタグ読取装置２０、ディスプレイ装置４０の少なくともいずれか一方に、標識データベース３１と設備データベース３３とデータ抽出手段３５とを具備させてもよい。このような構成であっても、本実施形態と同様の効果が得られる。
【００３５】
このように、ＩＣタグ１０を携帯する人間がいる場所の標識データ３２と設備データ３４とをその人間に告知することによって、危険な場所への立ち入りを防止することで建物のリスク管理を低減させたり、建物のメンテナンス作業を行う者に適切な情報を与えることでメンテナンスの効率などを向上させたりすることができる。
【００３６】
（実施形態２）
実施形態１では、ＩＣタグ１０は建物内を移動する人間に携帯され、ＩＣタグ読取装置２０は建物内に設置されていたが、逆にＩＣタグ１０が建物内に設置され、ＩＣタグ読取装置２０が建物内を移動する人間に携帯されていてもよい。この場合には、パーソナルデータ１１はＩＣタグ読取装置２０に格納され、ＩＣタグ読取装置ＩＤ２１はＩＣタグ１０に格納される。このようにしても、実施形態１と同様の効果を得ることができる。なお、このような場合には、ディスプレイ装置４０は、建物内に設置されるのではなく、ＩＣタグ読取装置２０と共に建物内を移動する人間に携帯された方が安価にシステムを構築できるので好ましい。
【００３７】
また、本実施形態においても、実施形態１と同様に、各ＩＣタグ読取装置２０やディスプレイ装置４０のいずれかに、標識データベース３１、設備データベース３３及びデータ抽出手段３５とを具備させてもよい。
【００３８】
（その他の実施形態）
実施形態１及び２では、告知手段としてディスプレイ装置４０を用いたが、告知手段が建物内に設置される場合には、ディスプレイ装置４０ではなく、スピーカー等の音声を発することができる装置、あるいは、それとディスプレイ装置４０とを組み合わせて用いてもよい。スピーカー等をディスプレイ装置４０と併用した場合には、建物内を移動する人間に、より効果的に設備データ３４等を告知することができる。
【００３９】
また、同様に、告知手段が建物内を移動する人間に携帯される場合には、ディスプレイ装置４０ではなく、スピーカー等の音声を発することができる装置や振動する装置、あるいは、それらとディスプレイ装置４０とのいずれかを組み合わせて用いてもよい。それらとディスプレイ装置４０とのいずれかを組み合わせて用いた場合には、建物内を移動する人間に、より効果的に設備データ３４などを告知することができる。
【００４０】
さらに、建物内情報サーバ３０が、標識データ３２又は設備データ３４の少なくともいずれか一方のデータを更新する更新手段を具備していてもよい。このような更新手段を具備することによって、最新のデータに基づいて、建物内を移動する人間により正確な情報を告知することができる。
【００４１】
また、建物内情報サーバ３０が、標識データ３２を標識データベース３１に登録するための標識登録手段、標識データ３２を標識データベース３１から削除するための標識削除手段、及び標識データ３２を標識データベース３１から参照するための標識参照手段を具備していてもよい。これらを具備することによって、最新の標識の規格に基づいて、標識データの登録、削除、参照を行うことができる。
【産業上の利用可能性】
【００４２】
本発明は、建物などの人工的な建造物の内部を移動する人間に、その人間のいる場所に関する情報を提供する建物内情報告知システムに関するが、建物などの人工的な建造物だけではなく、山岳、森林又はトンネルなどの複雑な形状又は構造を有する場所においても利用可能である。
【図面の簡単な説明】
【００４３】
【図１】本発明の実施形態１に係る建物内情報告知システムを示す概略図である。
【図２】本発明の実施形態１に係る建物内情報告知システムを示す概略図である。
【図３】本発明の実施形態１に係るデータベースの一例を示す図である。
【図４】本発明の実施形態１に係るデータベースの一例を示す図である。
【図５】本発明の実施形態１に係るデータベースの一例を示す図である。
【符号の説明】
【００４４】
１  建物内情報告知システム
１０  ＩＣタグ
１１  パーソナルデータ
２０  ＩＣタグ読取装置
２１  ＩＣタグ読取装置ＩＤ
３０  建物内情報サーバ
３１  標識データベース
３２  標識データ
３３  設備データベース
３４  設備データ
３５  データ抽出手段
４０  ディスプレイ装置
【図１】
2006157737.tif 000003
【図２】
2006157737.tif 000004
【図３】
2006157737.tif 000005
【図４】
2006157737.tif 000006
【図５】
2006157737.tif 000007